(57)【特許請求の範囲】
【請求項１】
支柱の上端部に取着され、側面にはそのキャップの外周面より高さが低くなされた段差部が形成され、この段差部に適合した反射体が付設された反射体付きキャップであって、段差部がキャップの側面の全周に亘って形成され、反射体が、帯状に形成された帯状反射体となされ、段差部の底部に小孔が穿設されると共に、帯状反射体の両端部に取付孔が穿設され、前記帯状反射体は、キャップの段差部に全周に亘って巻回されて両端部の取付孔が合致されると共にこの合致された帯状反射体の取付孔とキャップの段差部の底部に穿設された小孔とが合致されて、前記取付孔および小孔を介して帯状反射体の両端部が繋ぎ合わされていると共に段差部に取り付けられていることを特徴とする反射体付きキャップ。
【請求項２】
帯状反射体の両端部に巻回された際に互いに重ね継ぎされる切欠部が形成され、この切欠部に取付孔が穿設されたことを特徴とする請求項１記載の反射体付きキャップ。
【請求項３】
段差部が凹溝となされたことを特徴とする請求項１または２記載の反射体付きキャップ。
【請求項４】
帯状反射体が、帯状体に適宜間隔で多数のガラスビーズ製の反射器が配設されたことを特徴とする請求項１、２または３記載の反射体付きキャップ。
【請求項５】
キャップが、キャップ本体とキャップ本体の裏面に形成された連結部と、この連結部の下方に取着された先端外径が支柱内径より稍々大径となされた板バネとからなり、この板バネが支柱内壁に当接係止されてキャップが支柱上端に取着されたことを特徴とする請求項１〜４のいずれか１項記載の反射体付きキャップ。
【請求項６】
適宜間隔で立設された支柱間に柵パネルが架設され、前記支柱の上端部に請求項１〜５のいずれか１項に記載の反射体付きキャップが取着されたことを特徴とする防護柵。
【発明の詳細な説明】
【０００１】
【発明の属する技術分野】
本発明は、道路の路側や敷地境界線上に用いられる防護柵や、橋梁上の高欄、車止め等保安用途に用いられる支柱、あるいは公園や遊歩道、自転車道などの主として屋外で使用される柵等の支柱の頂部に設けられる、夜間の視認性が高められた反射体付きキャップ及びその反射体付きキャップが支柱の上端部に取着された防護柵に関するものである。
【０００２】
【従来の技術】
従来、道路や公園等に設置される防護柵等、主として屋外で使用される支柱の夜間視認性を高めるために、支柱上端にキャップを取着し、支柱の上部に板状の反射板を金属バンドで取り付けたものが知られていた。
【０００３】
【発明が解決しようとする課題】
しかしながら上記の如き防護柵等の支柱においては、支柱と支柱に取着されるキャップと反射板とが夫々別体で構成され、組立工数がかかる上に、部品点数が多く製造コストがかかるという問題があった。またこのような反射板は、反射板が平面状であるために光の入射方向へしか反射光が放射されず、車や自転車等のヘッドライトによる前方照射に対しては優れた夜間視認性を示すものの、歩行者に対する夜間視認性はよくなかった。さらに、反射板が防護柵から突出されているため、車等の接触によって簡単に破損し易いという問題もあった。
【０００４】
そこで本発明はかかる従来の問題点を解消し、夜間の視認性が高く、部品点数が少なくて組み立てが容易で、かつ反射体部分の破損し難い防護柵や車止め等の支柱に取着される反射体付きキャップ及びその反射体付きキャップが支柱の上端部に取着された防護柵を提供するものである。
【０００５】
【課題を解決するための手段】
本発明反射体付きキャップは、支柱の上端部に取着され、側面にはそのキャップの外周面より高さが低くなされた段差部が形成され、この段差部に適合した反射体が付設された反射体付きキャップであって、段差部がキャップの側面の全周に亘って形成され、反射体が、帯状に形成された帯状反射体となされ、段差部の底部に小孔が穿設されると共に、帯状反射体の両端部に取付孔が穿設され、前記帯状反射体は、キャップの段差部に全周に亘って巻回されて両端部の取付孔が合致されると共にこの合致された帯状反射体の取付孔とキャップの段差部の底部に穿設された小孔とが合致されて、前記取付孔および小孔を介して帯状反射体の両端部が繋ぎ合わされていると共に段差部に取り付けられていることを特徴とするものである。
【０００６】
本発明反射体付きキャップは、帯状反射体がキャップの外周面より高さが低く形成された段差部に付設されているので、帯状反射体が車等の接触によって簡単に破損することが無い。なお、帯状反射体とは付設あるいは配設されたプリズムやレンズ等の働きによって、照射された光が屈折されて反射を可能に形成されたものをいう。
また、本発明反射体付きキャップは、段差部がキャップの側面の全周に亘って形成されたものであり、全周に亘って光を反射するので歩行者からの視認性も高められる。
【０００７】
さらにまた、本発明反射体付きキャップは、反射体が帯状に形成された帯状反射体となされたものであり、キャップの側面の全周に亘って形成された段差部に巻着されて取り付けられるので組み立てが容易である。
【０００８】
さらにまた、本発明反射体付きキャップは、段差部の底部に小孔が穿設され、この小孔を介して反射体が取り付けられるようになされたものであり、反射体をキャップに固定できるので、付設された反射体が段差部のなかにおいて強固に固着され回転やズレ等動くことがない。
【０００９】
さらにまた、本発明反射体付きキャップは、帯状反射体は、キャップの段差部に全周に亘って巻回されて両端部の取付孔が合致されると共にこの合致された帯状反射体の取付孔とキャップの段差部の底部に穿設された小孔とが合致されて、前記取付孔および小孔を介して帯状反射体の両端部が繋ぎ合わされていると共に段差部に取り付けられているものであって、帯状体両端部の繋ぎ合わせを兼ねて同時にキャップに鋲着させることができ、取り付け工程の効率化がはかれる。
【００１０】
本発明反射体付きキャップにおいて、帯状反射体の両端部に巻回された際に互いに重ね継ぎされる切欠部が形成され、この切欠部に取付孔が穿設されたものであれば、互いに重ね継ぎされる切欠部を合わせるだけの簡単な作業で確実な繋ぎ合わせができる。
【００１１】
さらに、本発明反射体付きキャップにおいて、段差部が凹溝となされていれば、そこに付設された帯状反射体をその凹溝内に完全に埋設させることができるため、反射体付きのキャップをその帯状反射体の表面を傷つけることなく輸送することができる。
【００１２】
さらにまた、本発明反射体付きキャップにおいて、帯状反射体が、帯状体に適宜間隔で多数のガラスビーズ製の反射器が配設されたものであれば、汚れにくく、汚れがついても雨水や散水等によって容易に流されて汚れが落とされる。また、材質がガラスなので劣化がなく半永久的に反射機能が維持される。なお、ガラスビーズ製の反射器とは主として着色透明ガラス製で表面が球状に成形されたものであり、着色によって反射光の視認性がよくなされている。
【００１３】
さらにまた、本発明反射体付きキャップにおいて、キャップが、キャップ本体とキャップ本体の裏面に形成された連結部と、この連結部の下方に取着された、先端外径が支柱内径より稍々大径となされた板バネとからなり、この板バネが支柱の内壁に当接係止されてキャップが支柱上端に取着されるようになされたものであれば、支柱への取り付けが容易で、キャップが支柱に取り付けられると板バネの先端が支柱の内壁に食い込むように係止されるので、容易に外れることがない。
【００１４】
さらにまた、本発明防護柵は、適宜間隔で立設された支柱間に柵パネルが架設され、前記支柱の上端部に前記の如き反射体付きキャップが取着されたものである。
【００１５】
【発明の実施の形態】
以下、図面を参照しながら本発明について説明する。図１は本発明反射体付きキャップの実施形態の一例を用いた防護柵の正面図であり、図２は図１のａ部に示した要部の詳細正面図である。図３，４は反射体付きキャップの例を表す断面図であり、図５（イ）〜（ハ）はさらに他の例を表すキャップの詳細図である。また、反射体付きキャップの例において用いられる、反射体および帯状反射体の各一例をそれぞれ図６，７に表す。
【００１６】
図１，２の防護柵においては、適宜間隔で立設された支柱１間に柵パネル２が架設されている。支柱１の頂部にはキャップ３が取着され、支柱１の頂部を保護するとともに、キャップ３の側壁には帯状反射体５が付設され、防護柵の夜間の視認性が向上される。
【００１７】
図３は、管体状の支柱１上端部に挿嵌されるキャップ３の側壁に、その外周面より高さが低くなされた段差部３１が形成されて、この段差部３１に反射体４が付設される状態を示している。前記反射体４は本発明に用いられる帯状反射体５と異なり、リング状のものである。ここにおいて、支柱１は鋼管等による円形の管体であって、その上端部に支柱外径よりも小径の開口段差が形成され、この開口段差に対してキャップ３がその段差部３１にリング状の反射体４が嵌挿された上で嵌着固定される。ここにおいてリング状の反射体４は、基体４２をベースにしてリング状の外側に空気層を介して表面層にレンズ体４１が設けられたものである。
【００１８】
なお、図３は支柱１が円形状の管体の場合であり、キャップ３の側壁の全周に亘って段差部３１が形成されて、この段差部３１の全周に亘って反射体４が付設された場合について説明した。
【００１９】
さらに図４は、支柱１が円形状の管体の場合において、前記図３の場合の様に支柱１の端部に段差部分を設けることなく、キャップ３の側壁に凹溝３２が形成されてその凹溝３２に反射体４が付設される場合を表している。この場合支柱１の端部の段差加工が不要になるが、上述のリング状の反射体の嵌着が不可能なことから、例えば本発明に用いられる帯状反射体５と異なるが、図６に示す２つ割り等の分割した部品によって付設される。
【００２０】
すなわち、図６に示す例における反射体４は、図４の如きキャップ３の外壁面の全周に亘って設けられた凹溝３２の幅より稍々小寸法となされた幅で、該凹溝の円周に沿った曲率寸法で半円形になされた反射体４が２個合わせられて、凹溝３２の全周に亘って埋設され、この合わせられた反射体４の外径がキャップ３の外周表面の外径より稍々小寸法となされることによって、反射体４の外周表面が凹溝３２より露出せずに凹溝３２の深さ内に埋設されて取着される。反射体４の両端は、凸嵌合部４３と凹嵌合部４４とを互いに嵌合させることによって組立一体化が可能に形成されており、この半円形の反射体４が２個組み合わせられてキャップ３の外壁面に形成された凹溝３２内に埋設されて取着される。反射体４は、基体４２の外周に空気層を介してポリカーボネートやアクリル等の透明プラスチックのレンズ体４１を配設させて作製される。
【００２１】
上述の図３および図４においては、反射体４の２例を挙げて説明してきたが、本発明においては、高性能の夜間視認性を発揮する反射体として、キャップ３の外壁面に形成された段差部３１あるいは凹溝３２に巻き付けて取り付ける形態の帯状反射体５が適用されている。すなわち、帯状反射体５は、帯状であって巻回することができる反射体であれば特にその形態は限定されるものではなく、シート状の基板に空気層を介して透明プリズムシートが貼付された反射シートであってもよく、また可撓性シート上に半球状の突起を多数突出させたものでもよいが、図７に示される実施形態の例では、帯状反射体５は図３の実施例では段差部３１を有するキャップ３を支柱１に嵌着させた際に形成される凹溝の幅、または、図４の実施例ではキャップ３の外壁面に形成された凹溝３２の幅のいずれかの幅より稍々小寸法となされた幅の帯状体５１に、適宜間隔で多数個のガラスビーズ製の反射器５２が半球状の部分が露出するように埋設されて帯状反射体５となされている。帯状体５１の両端は上述のような凹溝内に巻回された際に、両端が合欠のように互いに重ね継ぎされるように切欠部５４が形成されている。帯状体５１の端部の切欠部５４には取付孔５３が穿設され、この取付孔５３にブラインドリベットが挿入されるようになされている。このブラインドリベットの頭部がキャップ本体３３と同色になされた場合、鋲着部が目立たず景観上好ましい。また、ガラスビーズ製の反射器５２は一端が半球状となされた着色ガラスの成型品であり、ポリエチレン等の合成樹脂を成型して作成された帯状体５１に、反射器５２の半球状の部分が露出されるように埋設され帯状反射体５となされている。帯状反射体５の表面に露出されたガラスビーズ製の反射器５２の高さは、前記凹溝の深さより低くなされているので、輸送の際に反射器５２同士の接触が起こらず、使用中に車等が接触した際も反射器５２に接触して傷がつくということがない。なお、帯状反射体５の取着方法はこの例に限るものではなく、螺子などで取着されてもよい。
【００２２】
次に、支柱に対して強固に嵌着が可能な本発明反射体付きキャップの一例を、図５によって説明する。キャップ３はキャップ本体３３と、このキャップ本体３３側壁に全周に亘って設けられた帯状反射体５が嵌込まれる凹溝３２と、このキャップ本体３３の裏面に円筒状に設けられた連結部３３１と、この連結部３３１に嵌着された板バネ３４からなる。キャップ本体３３は頂部が半球状に閉塞された円筒状で、側壁に全周に亘って凹溝３２が形成されている。そしてこの凹溝３２の底部には、上述した帯状反射体５が巻回されてその切欠部５４が重ね継ぎされた際に、該帯状反射体５の両端部の取付孔５３を介してブラインドリベットによって固定されるための小孔３３４が設けられている。キャップ本体３３の裏面外周壁は内径が支柱１の外径に嵌合するようなされ、中央に円筒状の連結部３３１が形成され、この連結部３３１と同心円上に連結部３３１より高さが低くなされた円筒状の当接部３３２が設けられ、この当接部３３２の外周に支柱１内壁に適合したガイド部３３３が設けられている。
【００２３】
板バネ３４はステンレス鋼板などの薄板を十字型に打ち抜き、中央にキャップ本体３３の裏面に突出された連結部３３１より大径の連結孔３４１が設けられ、この連結孔３４１の縁部に多数の係止片３４２が連結部３３１の突出方向と同一方向に僅かに折曲され、十字型の先端部分が係止片３４２と逆方向に僅かに折曲して係止部３４３となされている。板バネ３４はキャップ本体３３裏面の連結部３３１に嵌挿されると連結孔３４１縁部の係止片３４２が撓曲され、この係止片３４２の先端が連結部３３１側壁に当接されてキャップ本体３３裏面に取り付けられる。係止片３４２の先端が連結部３３１側壁に食い込むようになされるので、取り付けられた板バネ３４は容易に外れることはない。
【００２４】
【発明の効果】
上述の如く、本発明反射体付きキャップは、支柱の上端部に取着され、側面にはそのキャップの外周面より高さが低くなされた段差部が形成され、この段差部に適合した反射体が付設された反射体付きキャップであって、段差部がキャップの側面の全周に亘って形成され、反射体が、帯状に形成された帯状反射体となされ、段差部の底部に小孔が穿設されると共に、帯状反射体の両端部に取付孔が穿設され、前記帯状反射体は、キャップの段差部に全周に亘って巻回されて両端部の取付孔が合致されると共にこの合致された帯状反射体の取付孔とキャップの段差部の底部に穿設された小孔とが合致されて、前記取付孔および小孔を介して帯状反射体の両端部が繋ぎ合わされていると共に段差部に取り付けられていることを特徴とするものであって、帯状反射体がキャップの外周面より高さが低く形成された段差部に付設されているので、帯状反射体が車等の接触によって簡単に破損することが無い。
【００２５】
また、本発明反射体付きキャップは、段差部がキャップの側面の全周に亘って形成されたものであり、全周に亘って光を反射するので歩行者からの視認性も高められる。
【００２６】
さらにまた、本発明反射体付きキャップは、反射体が帯状に形成された帯状反射体となされたものであり、キャップ側面の全周に亘って形成された段差部または凹溝に巻着され取り付けられるので組み立てが容易である。
【００２７】
さらにまた、本発明反射体付きキャップは、段差部の底部に小孔が穿設され、この小孔を介して反射体が取り付けられるようになされたものであり、反射体をキャップに固定できるので、付設された反射体が段差部のなかにおいて強固に固着され回転やズレ等動くことがない。
【００２８】
さらにまた、本発明反射体付きキャップは、帯状反射体は、キャップの段差部に全周に亘って巻回されて両端部の取付孔が合致されると共にこの合致された帯状反射体の取付孔とキャップの段差部の底部に穿設された小孔とが合致されて、前記取付孔および小孔を介して段差部に取り付けられているものであって、帯状体両端部の繋ぎ合わせを兼ねて同時にキャップに鋲着させることができ、取り付け工程の効率化がはかれる。
【００２９】
本発明反射体付きキャップにおいて、帯状反射体の両端部に巻回された際に互いに重ね継ぎされる切欠部が形成され、この切欠部に取付孔が穿設されたものであれば、互いに重ね継ぎされる切欠部を合わせるだけの簡単な作業で確実な繋ぎ合わせができる。
【００３０】
さらに、本発明反射体付きキャップにおいて、段差部が凹溝となされていれば、そこに付設された帯状反射体をその凹溝内に完全に埋設させることができるため、反射体付きのキャップをその帯状反射体の表面を傷つけることなく輸送することができる。
【００３１】
さらにまた、本発明反射体付きキャップにおいて、帯状反射体が、帯状体に適宜間隔で多数のガラスビーズ製の反射器が配設されたものであれば、汚れにくく、汚れがついても雨水や散水等によって容易に流されて汚れが落とされる。また、材質がガラスなので劣化がなく半永久的に反射機能が維持される。
【００３２】
さらにまた、本発明反射体付きキャップにおいて、キャップが、キャップ本体とキャップ本体の裏面に形成された連結部と、この連結部の下方に取着された、先端外径が支柱内径より稍々大径となされた板バネとからなり、この板バネが支柱の内壁に当接係止されてキャップが支柱上端に取着されるようになされたものであれば、支柱への取り付けが容易で、キャップが支柱に取り付けられると板バネの先端が支柱の内壁に食い込むように係止されるので、容易に外れることがない。
【図面の簡単な説明】
【図１】本発明反射体付きキャップの実施形態の一例を表す防護柵の正面図である。
【図２】図１のａ部の詳細正面図である。
【図３】反射体付きキャップの一例を示す断面図である。
【図４】反射体付きキャップのさらに他の例を示す断面図である。
【図５】反射体付きキャップにおけるキャップ本体と板バネの一例を示す（イ）は側面図、（ロ）は底面図、（ハ）はＡ−Ａ断面図である。
【図６】反射体付きキャップにおける、反射体の一例を示す（イ），（ハ）は側面図、（ロ）は一部破断の上面図である。
【図７】本発明反射体付きキャップに使用される帯状反射体の実施形態の一例を示す（イ）は正面図、（ロ）は側面図である。
【符号の説明】
１      支柱
２      柵パネル
３      キャップ
３１    段差部
３２    凹溝
３３    キャップ本体
３３１  連結部
３３２  当接部
３３３  ガイド部
３３４  小孔
３４    板バネ
３４１  連結孔
３４２  係止片
３４３  係止部
４      反射体
４１    レンズ体
４２    基体
４３    凸嵌合部
４４    凹嵌合部
５      帯状反射体
５１    帯状体
５２    反射器
５３    取付孔
５４    切欠部
【図１】
0003576380.tif 000002
【図２】
0003576380.tif 000003
【図３】
0003576380.tif 000004
【図４】
0003576380.tif 000005
【図５】
0003576380.tif 000006
【図６】
0003576380.tif 000007
【図７】
0003576380.tif 000008